(57)【要約】【課題】異常の判断を自動的に行い、異常の確認を容易に行うことができる監視モニター装置を提供すること。【解決手段】本発明の監視モニター装置は、予め定めた複数の被写体をそれぞれ映す複数の監視カメラ１ａ、１ｂと、複数の監視カメラ１ａ、１ｂのそれぞれに対応して設けられた複数の音検出手段２ａ、２ｂと、監視カメラ１ａ、１ｂよりの映像を表示するモニター手段４と、複数の音検出手段２ａ、２ｂが検出する音をそれぞれ分析し異常ありと判断したとき、監視カメラ１ａ、１ｂよりの映像を切替え制御する切替え制御信号をモニター手段４に出力する音分析手段７ａ、７ｂとを備えた構成を有している。【選択図】　図１
2004139261.tif 000002
【特許請求の範囲】
【請求項１】
予め定めた複数の被写体をそれぞれ映す複数の監視カメラと、前記複数の監視カメラのそれぞれに対応して設けられた複数の音検出手段と、前記監視カメラよりの映像を表示するモニター手段と、前記複数の音検出手段が検出する音をそれぞれ分析し異常ありと判断したとき、前記監視カメラよりの映像を切替え制御する切替え制御信号を前記モニター手段に出力する音分析手段とを備えたことを特徴とする監視モニター装置。
【請求項２】
前記音分析手段が、前記検出する音を周波数分析し、前記周波数分析した音の周波数帯ごとに、予め設定した周波数ごとの設定レベルと比較し、前記切替え制御信号を送出することを特徴とする請求項１に記載の監視モニター装置。
【請求項３】
前記予め設定した周波数ごとの設定レベルが、前記音検出手段が通常時に検出する闇騒音をもとに設定されることを特徴とする請求項２に記載の監視モニター装置。
【請求項４】
前記検出音分析手段が、検出した音の種類と、予め記録した複数の音の種類と比較し、前記検出した音の種類と同じ種類の音があったとき前記切替え制御信号を送出することを特徴とする請求項１に記載の監視モニター装置。
【請求項５】
前記音分析手段が異常ありと判断したとき、警告器による警告や、警告放送を行うことを特徴とする請求項１から請求項４までの何れかに記載の監視モニター装置。
【請求項６】
前記複数の音検出手段が検出した音を順次切替えて前記音分析手段に送出することを特徴とする請求項１から請求項５までの何れかに記載の監視モニター装置。
【請求項７】
前記音分析手段が、異常ありと判断した異常音を記録する記憶手段を設けたことを特徴とする請求項１から請求項６までの何れかに記載の監視モニター装置。
【発明の詳細な説明】
【０００１】
【発明の属する技術分野】
本発明は、学校、ホテル、デパート、公共の場所などの施設において、各施設の被写体を監視カメラによる映像とマイクロホンによる音とで監視する監視モニター装置に関する。
【０００２】
【従来の技術】
従来の監視モニター装置は、監視カメラにマイクロホンが設けられ、被写体を監視カメラによる映像とマイクロホンによる音とで監視するものが知られている（例えば、特許文献１参照）。
【０００３】
図１０は、従来の監視モニター装置の構成図を示す。
【０００４】
図１０に示すように、従来の監視モニター装置は、複数の監視カメラ１ａ、１ｂにマイクロホン２ａ、２ｂが装着され、監視カメラ１ａ、１ｂは、接続ケーブル３ａ、３ｂによってモニター部４に接続され、モニター部４により被写体の映像と音とが監視され、記録部５にて映像と音との記録が行われている。
【０００５】
【特許文献１】
特開平９−１６１１６１号公報
【０００６】
【発明が解決しようとする課題】
しかしながら、従来の監視モニター装置では、監視カメラ１ａ、１ｂによる映像とマイクロホン２ａ、２ｂによる音とで被写体が監視されるが、監視者は、映像と音との監視を行ない異常と判断したときに、監視カメラを切替えて異常状態を確認しなければならないという問題があった。
【０００７】
本発明は、このような従来の問題を解決するためになされたもので、異常の判断を自動的に行い、異常の確認を容易に行うことができる監視モニター装置を提供することを目的とする。
【０００８】
【課題を解決するための手段】
本発明の監視モニター装置は、予め定めた複数の被写体をそれぞれ映す複数の監視カメラと、前記複数の監視カメラのそれぞれに対応して設けられた複数の音検出手段と、前記監視カメラよりの映像を表示するモニター手段と、前記複数の音検出手段が検出する音をそれぞれ分析し異常ありと判断したとき、前記監視カメラよりの映像を切替え制御する切替え制御信号を前記モニター手段に出力する音分析手段とを備えた構成を有している。この構成により、監視者によることなく、異常の判断を自動的に行い、異常の確認を容易に行うことができる。
【０００９】
また、前記音分析手段が、前記検出する音を周波数分析し、前記周波数分析した音の周波数帯ごとに、予め設定した周波数ごとの設定レベルと比較し、前記切替え制御信号を送出する構成を有している。この構成により、通常時のレベルから設定レベルを細かく設定でき、異常音の判断を的確に行うことができる。
【００１０】
また、前記予め設定した周波数ごとの設定レベルが、前記音検出手段が通常時に検出する闇騒音をもとに設定される構成を有している。この構成により、異常音の判断に使用する設定レベルを的確に設定して、異常音の判断を行うことができる。
【００１１】
また、前記検出音分析手段が、検出した音の種類と、予め記録した複数の音の種類と比較し、前記検出した音の種類と同じ種類の音があったとき前記切替え制御信号を送出する構成を有している。この構成により、音の種別により異常音を的確に判断でき、精度の高い異常音判断を行うことができる。
【００１２】
また、前記音分析手段が異常ありと判断したとき、警告器による警告や、警告放送を行う構成を有している。この構成により、監視者に確実に異常を知らすことができ、異常の確認を迅速に行うことができる。
【００１３】
また、前記複数の音検出手段が検出した音を順次切替えて前記音分析手段に送出する構成を有している。この構成により、１つの音分析部で多数の音を分析でき、簡潔構造で異常の確認を容易に行うことができる。
【００１４】
さらに、前記音分析手段が、異常ありと判断した異常音を記録する記憶手段を設けた構成を有している。この構成により、再確認を的確に行うことができる。
【００１５】
【発明の実施の形態】
本発明の実施の形態について、図面を用いて説明する。
【００１６】
図１は、本発明の第１の実施の形態の監視モニター装置のブロック図を示す。
【００１７】
図１に示すように、本発明の第１の実施の形態の監視モニター装置は、被写体の映像により監視が行われる監視カメラシステム１０と、集音した被写体の音を分析し異常音を検出する異常音検出部９とで構成されている。
【００１８】
監視カメラシステム１０は、２台の監視カメラ１ａ、１ｂと、接続ケーブル３ａ、３ｂによって監視カメラ１ａ、１ｂに接続され、監視カメラ１ａ、１ｂよりの映像により監視が行われるモニター部４と、監視された映像が記録される記録部５とで構成されている。モニター部４では、例えば、監視カメラ１ａ、１ｂよりの映像がモニター上に分割表示され、または、モニター上に時分割表示される。
【００１９】
異常音検出部９は、監視カメラ１ａ、１ｂのそれぞれに対応して設けられ、被写体の音を集音するマイクロホン２ａ、２ｂと、集音した被写体の音の信号を増幅するマイクロホン増幅器６ａ、６ｂと、集音した被写体の音を分析する音分析部７ａ、７ｂとで構成され、音分析部７ａ、７ｂによる分析結果は監視カメラシステム１０のモニター部４に送られる。マイクロホン２ａ、２ｂは、被写体の近辺または、被写体の音を検出できる場所に設置される。
【００２０】
図２は、本発明の第１の実施の形態の監視モニター装置で動作が行われるときのフローチャートを示す。
【００２１】
本発明の第１の実施の形態の監視モニター装置について、図１と図２を用いてその動作を説明する。
【００２２】
まず、監視を行っている施設の被写体に異常音が発生したとき（ステップＳ１）、マイクロホン２ａ、２ｂにて異常音の集音が行われ（ステップＳ２）、マイクロホン増幅器６ａ、６ｂにて集音した音の信号の増幅が行われ（ステップＳ３）、音分析部７ａ、７ｂに送られる。音分析部７ａ、７ｂで集音した音の信号を分析し、異常ありと判断したとき（ステップＳ４）、判断結果を切替え制御信号８ａ、８ｂとして監視カメラシステム１０に出力する（ステップＳ５）。監視カメラシステム１０では、モニター部４が、切替え制御信号８ａ、８ｂにより、異常音の発生場所の監視カメラ１ａ、１ｂの映像に切替えられ（ステップＳ６）、切替えられた映像により異常の確認が行われ、また、切替えられた映像は記録部５に記録される。
【００２３】
以上のように、本発明の第１の実施の形態の監視モニター装置は、監視カメラ１ａ、１ｂのそれぞれに対応してマイクロホン１ａ、１ｂを設け、集音した音を分析する音分析部７ａ、７ｂを設けることにより、異常音を検出してモニター部４の映像を切替え、異常の確認を容易に行うことができる。
【００２４】
図３は、本発明の第２の実施の形態の監視モニター装置における音分析部のブロック図を示す。
【００２５】
図３に示すように、本発明の第２の実施の形態の監視モニター装置における音分析部１７は、図１に示す音分析部７ｂ、７ａに使用されるもので、マイクロホン増幅器６ａを介しマイクロホン２ａに接続され、集音した音を周波数帯毎に分析する周波数分析部１１と、異常音と判断するための周波数帯ごとの設定レベルを記録する設定レベル記録部１２と、通常状態の闇騒音を記録する闇騒音記録部１３と、異常を判断する判断部１４とから構成されている。
【００２６】
図４は、本発明の第２の実施の形態の監視モニター装置における音分析部の動作説明図を示す。
【００２７】
以上のように構成された音分析部７ａについて、図３と図４を用いてその動作を説明する。
【００２８】
まず、マイクロホン２で異常音発生時でない通常時の音が集音され、周波数分析部１１で周波数帯毎に分解され、周波数帯毎に分解された音が闇騒音Ｂとして闇騒音記録部１３に記録されている。次に、異常時の設定レベルＡが闇騒音Ｂのレベルから周波数帯毎に設定され、設定レベル記録部１２に記録されている。マイクロホン２ａで集音された音の信号はマイクロホン増幅器６で増幅され、周波数分析部１１に送出される。周波数分析部１１は、集音した検出音Ｄを周波数帯別に分解し、判断部１４では、設定レベル記録部１２の設定レベルと比較し、設定レベルＡを超える場合は異常音Ｃがあるとみなし異常ありと判断し、切替え制御信号１８を送出する。切替え制御信号１８により監視カメラの映像の切替えが行われる。
【００２９】
以上のように、本発明の第２の実施の形態の監視モニター装置は、音分析部に周波数分析部１１と周波数帯毎の設定レベル記録部１２、闇騒音記録部１３を設けることにより、通常時のレベルから設定レベルを細かく設定でき、異常音の判断を的確に行うことができる。
【００３０】
図５は、本発明の第３の実施の形態の監視モニター装置における音分析部のブロック図を示す。
【００３１】
図５に示すように、本発明の第３の実施の形態の監視モニター装置における音分析部２７は、図１に示す音分析部７ｂ、７ａに使用されるもので、マイクロホン増幅器６を介しマイクロホン２に接続され、集音する音を認識する音認識部２５と、事前に異常音が記録された異常音記録部２６と、異常を判断する判断部２４とからから構成されている。
【００３２】
以上のように構成された音分析部２７について、その動作を説明する。
【００３３】
まず、マイクロホン２で集音された音が、音認識部２５で分析され、音の種類が判別される。異常音記録部２６には、事前に異常音が記録されており、判断部２４では、音声認識部２５の分析結果と異常音記録部２５に事前に記憶された異常音とを比較し、同一の場合は異常音とみなし異常ありと判断して、切替え制御信号２８を送出する。切替え制御信号２８により監視カメラの映像の切替えが行われる。
【００３４】
以上のように、本発明の第３の実施の形態の監視モニター装置は、音分析部に音声認識部２５と異常音記録部２６を設けることにより、精度の高い異常音判断を行うことができる。
【００３５】
図６は、本発明の第４の実施の形態の監視モニター装置における異常音検出部のブロック図を示す。
【００３６】
図６に示すように、本発明の第４の実施の形態の監視モニター装置における異常音検出部４９は、被写体の音を集音するマイクロホン２ａと、集音した被写体の音の信号を増幅するマイクロホン増幅器６ａと、集音した被写体の音を分析する音分析部７ａと、音分析部７ａに接続する警告器４１と異常発生放送部４２とで構成され、異常発生放送部４２は増幅器４３を介しスピーカ４４に接続している。警告器４１には、警告灯やブザーなどが使用される。図６では、異常音検出部４９は、マイクロホン２ａにより被写体の音を集音する１系列を示しているが、複数の系列にすることができる。
【００３７】
図７は、本発明の第４の実施の形態の監視モニター装置における異常音検出部で動作が行われるときのフローチャートを示す。
【００３８】
以上のように構成された異常音検出部４９について、図６と図７を用いてその動作を説明する。
【００３９】
まず、監視を行っている施設の被写体に異常音が発生したとき（ステップＳ４１）、マイクロホン２ａにて異常音の集音が行われ（ステップＳ４２）、マイクロホン増幅器６ａにて集音した音の信号の増幅が行われ（ステップＳ４３）、音分析部７ａに送られる。音分析部７ａでは、集音した音の信号を分析し、異常ありと判断したとき（ステップＳ４４）、警告器４１を起動させる（ステップＳ４７）。また、音分析部７ａは、異常発生放送部４２を起動し（ステップＳ４５）、増幅器４３を経由してスピーカ４４から異常発生時の警告メッセージを放送（ステップＳ４６）させることもできる。
【００４０】
以上のように、本発明の第４の実施の形態の監視モニター装置における異常音検出部４９は、異常音ありと判断したとき、警告器４１により警告し、また、異常発生放送部４２により音声で異常を知らせることもでき、異常の確認を迅速に行うことができる。
【００４１】
図８は、本発明の第５の実施の形態の監視モニター装置における異常音検出部のブロック図を示す。
【００４２】
図８に示すように、本発明の第５の実施の形態の監視モニター装置における異常音検出部５９は、被写体の音を集音するマイクロホン２ａ、２ｂ、２ｃと、集音した被写体の音の信号を増幅するマイクロホン増幅器６ａ、６ｂ、６ｃと、集音した被写体の音の信号を切替える入力切替え部５１と、集音した被写体の音を分析する音分析部５７と、入力切替え部５１を一定時間ごとに切替え制御を行うタイマー制御部５２と、音分析部５７からの異常時の音声を記憶する記録部５３とで構成され、音分析部５７からは切替え制御信号５８ａ、５８ｂ、５８ｃが出力される。
【００４３】
図９は、本発明の第５の実施の形態の監視モニター装置における異常音検出部で動作が行われるときのフローチャートを示す。
【００４４】
本発明の第５の実施の形態の監視モニター装置における異常音検出部５９について、図８と図９を用いてその動作を説明する。
【００４５】
まず、監視を行っている施設の被写体に異常音が発生したとき（ステップＳ５１）、マイクロホン２ａ、２ｂ、２ｃにて異常音の集音が行われ（ステップＳ５２）、マイクロホン増幅器６ａ、６ｂ、６ｃにて集音した音の信号の増幅が行われ、入力切替え部５１に送られる。タイマー制御部５２は、入力切替え部５１の入力切替え制御を行い（ステップＳ５５）、入力切替え部５１では、一定時間ごとに順次入力切替えが行われ、マイクロホン２ａ、２ｂ、２ｃにて集音した音を切替えて（ステップＳ５３）、音分析部５７に出力する。音分析部５７は、タイマー制御部５２により入力切替え部５１の入力切替え制御か行われたとき、集音した音の信号を分析し、異常あり判断したとき（ステップＳ５４）、図１に示す監視カメラシステムに異常あり判断した音に対応する切替え制御信号５８ａ、５８ｂ、５８ｃを出力し（ステップＳ５７）、監視カメラの映像の切替え（ステップＳ５８）が行われる。異常音は、音分析部５７から記録部５３に入力され記録される（ステップＳ５６）。
【００４６】
以上のように、本発明の第５の実施の形態の監視モニター装置における異常音検出部５９は、ひとつの音分析部７でマイクロホン２ａ、２ｂ、２ｃにて集音した多数の音を分析でき、簡潔構造で異常の確認を容易に行うことができる。
【００４７】
なお、以上述べた本発明の実施の形態の監視モニター装置は、監視カメラにマイクロホンを装着し、モニター部に音分析部を内蔵することもできる。
【００４８】
また、本発明の第１から第４の実施の形態の監視モニター装置でも、異常音を記録部に記録することができる。
【００４９】
【発明の効果】
以上説明したように、本発明は、異常の判断を自動的に行い、異常の確認を容易に行うことができる。
【図面の簡単な説明】
【図１】本発明の第１の実施の形態の監視モニター装置のブロック図
【図２】本発明の第１の実施の形態の監視モニター装置で動作が行われるときのフローチャートを示す図
【図３】本発明の第２の実施の形態の監視モニター装置における音分析部のブロック図
【図４】本発明の第２の実施の形態の監視モニター装置における音分析部の動作説明図
【図５】本発明の第３の実施の形態の監視モニター装置における音分析部のブロック図
【図６】本発明の第４の実施の形態の監視モニター装置における異常音検出部のブロック図
【図７】本発明の第４の実施の形態の監視モニター装置における異常音検出部で動作が行われるときのフローチャートを示す図
【図８】本発明の第５の実施の形態の監視モニター装置における異常音検出部のブロック図
【図９】本発明の第５の実施の形態の監視モニター装置における異常音検出部で動作が行われるときのフローチャートを示す図
【図１０】従来の監視モニター装置の構成図
【符号の説明】
１ａ、１ｂ　監視カメラ
２、２ａ、２ｂ、２ｃ　マイクロホン
３ａ、３ｂ　接続ケーブル
４　モニター部
５、５３　記録部
６、６ａ、６ｂ、６ｃ　マイクロホン増幅器
７ａ、７ｂ、１７、２７、５７　音分析部
８ａ、８ｂ、１８、２８、５８ａ、５８ｂ、５８ｃ　切替え制御信号
９、４９、５９　異常音検出部
１０　監視カメラシステム
１１　周波数分析部
１２　設定レベル記録部
１３　闇騒音記録部
１４、２４　判断部
２５　音認識部
２６　異常音記録部
４１　警告器
４２　異常発生放送部
４３　増幅器
４４　スピーカ
５１　入力切替え部
５２　タイマー制御部
【図１】
2004139261.tif 000003
【図２】
2004139261.tif 000004
【図３】
2004139261.tif 000005
【図４】
2004139261.tif 000006
【図５】
2004139261.tif 000007
【図６】
2004139261.tif 000008
【図７】
2004139261.tif 000009
【図８】
2004139261.tif 000010
【図９】
2004139261.tif 000011
【図１０】
2004139261.tif 000012